(57)【要約】【課題】  転写不良やブラーの発生しない、高画質の転写画像を得ることのできるタンデム方式の画像形成装置を提供する。【解決手段】  トナー像が担持された感光体ドラム１２，２２，３２，４２に一部が接触して配置されると共に、トナー像が転写されながら周回される中間転写ベルト２と、この中間転写ベルト２を挟んで感光体ドラム１２，２２，３２，４２と反対側に中間転写ベルト２と接触して配置されると共に、転写電界を発生させる中間転写ロール１３，２３，３３，４３とを備え、画像形成部１１，２１，３１，４１におけるニップ部Ｎ１，Ｎ２，Ｎ３，Ｎ４が感光体ドラム１２，２２，３２，４２の中心Ａ１，Ａ２，Ａ３，Ａ４と為す円弧角度θ１，θ２，θ３，θ４を、中間転写ベルト２の周回方向Ｐの上流から下流に向かうにつれて漸次増大させた。【選択図】  図１
2006162950.tif 000002
【特許請求の範囲】
【請求項１】
複数色の画像信号の各一つに応じた潜像が担持される潜像担持体と、
この潜像担持体に一部が接触して配置されると共に、前記潜像担持体に形成されるトナー像が転写されながら周回される中間転写ベルトと、
この中間転写ベルトを挟んで前記潜像担持体と反対側に前記中間転写ベルトと接触して配置されると共に、前記中間転写ベルトに前記トナー像の帯電極性と逆の極性の電圧を印加することにより前記潜像担持体との間に転写電界を発生させる転写部材とを備え、
少なくとも前記潜像担持体と前記転写部材とを有する画像形成部が前記中間転写ベルトの周回方向に複数配置され、各潜像担持体に形成されるトナー像が、前記中間転写ベルトに順次重ねて転写されるタンデム方式の画像形成装置において、
各画像形成部における前記潜像担持体と前記中間転写ベルトとの接触部が前記潜像担持体の中心と為す円弧角度を、前記中間転写ベルトの周回方向上流から下流に向かうにつれて漸次増大させたことを特徴とする画像形成装置。
【請求項２】
各画像形成部における前記各転写部材が、各潜像担持体と前記中間転写ベルトとの前記接触部に近接した下流位置に配置されたことを特徴とする請求項１に記載の画像形成装置。
【請求項３】
複数色の画像信号の各一つに応じた潜像が担持される潜像担持体と、
この潜像担持体に一部が接触されると共に、前記潜像担持体に形成されるトナー像が転写される記録媒体と、
この記録媒体が吸着載置して搬送される搬送ベルトと、
この搬送ベルトを挟んで前記潜像担持体と反対側に前記搬送ベルトと接触して配置されると共に、前記記録媒体に前記トナー像の帯電極性と逆の極性の電圧を印加することにより前記潜像担持体との間に転写電界を発生させる転写部材とを備え、
少なくとも前記潜像担持体と前記転写部材とを有する画像形成部が前記搬送ベルトの周回方向に複数配置され、各潜像担持体に形成されるトナー像が、前記記録媒体に順次重ねて転写されるタンデム方式の画像形成装置において、
各画像形成部における前記潜像担持体と前記記録媒体との接触部が前記潜像担持体の中心と為す円弧角度を、前記搬送ベルトの周回方向上流から下流に向かうにつれて漸次増大させたことを特徴とする画像形成装置。
【請求項４】
各画像形成部における前記各転写部材が、各潜像担持体と前記記録媒体との前記接触部に近接した下流位置に配置されたことを特徴とする請求項３に記載の画像形成装置。
【発明の詳細な説明】
【技術分野】
【０００１】
本発明は、電子写真方式の複写機やプリンタ等の画像形成装置、特に、感光体ドラム等の潜像担持体を備える画像形成部が複数配置され、各潜像担持体に形成されるトナー像が、中間転写ベルトあるいは記録媒体に順次重ねて転写されるタンデム方式の画像形成装置に関する。
【背景技術】
【０００２】
従来、例えば特許文献１に示されるように、感光体ドラム等の潜像担持体を備える画像形成部が複数配置され、各潜像担持体に形成されるトナー像が、中間転写ベルトあるいは記録媒体に順次重ねて転写されるタンデム方式の画像形成装置が知られている。
【０００３】
この特許文献１に記載されている画像形成装置は、複数色の画像信号の各一つに応じた潜像が担持される感光体ドラム（潜像担持体）と、この潜像担持体に一部が接触して配置されると共に、潜像担持体に形成されるトナー像が転写されながら周回される中間転写ベルトと、この中間転写ベルトを挟んで潜像担持体と反対側に中間転写ベルトと接触して配置されると共に、中間転写ベルトにトナー像の帯電極性と逆の極性の電圧を印加することにより潜像担持体との間に転写電界を発生させる転写ロール（転写部材）とを備え、潜像担持体と転写部材とを有する画像形成部が中間転写ベルトの周回方向に複数配置されるタンデム方式の画像形成装置であって、転写部材が、潜像担持体と中間転写ベルトとの接触領域（ニップ部）に近接した下流側に配置された構成とされている。
これにより、潜像担持体と中間転写ベルトの押接移動に伴う振動に起因する転写むらを抑制すると共に、ニップ部に近接した上流に転写部材からの電界が及ぶことに起因するトナーの飛散（ブラー）の発生を抑制して、画質の劣化を防止しようとしている。
【特許文献１】特開平９−１５２７９１号公報
【発明の開示】
【発明が解決しようとする課題】
【０００４】
中間転写ベルトの周回方向上流側の画像形成部から下流側の画像形成部に向かうにつれて各画像形成部で順次トナー像が転写されることにより、下流側の画像形成部では、上流側の画像形成部で形成されたトナー像の上に、別のトナー像が積層されていく。
このため、特許文献１に記載されている画像形成装置にあっては、下流側の画像形成部において潜像担持体と中間転写ベルトとの間に所定の強さの転写電界を発生させるためには、上流側の画像形成部で順次トナー像が積層して転写されることによる潜像担持体と中間転写ベルトとの間の電気抵抗の増加に対応して、下流側の転写部材に、上流側の画像形成部において印加される電圧よりも高い電圧を印加する必要があった。
【０００５】
しかしながら、転写部材に印加される電圧を増大させると、潜像担持体と中間転写ベルトとが剥離する際の剥離放電現象が急激に増加し、転写後の中間転写ベルト上のトナー帯電量が増大される結果、転写電界の上昇や転写不良を招くばかりでなく、ニップ部に近接する上流領域（プレニップ部）に転写電界が及ぶことにより、依然としてブラーが発生するおそれがあった。
【０００６】
この発明は、上記課題に鑑み、転写不良やブラーの発生しない、高画質の転写画像を得ることのできるタンデム方式の画像形成装置を提供することを目的とする。
【課題を解決するための手段】
【０００７】
上記の課題を解決して、このような目的を達成するために、請求項１記載の画像形成装置は、複数色の画像信号の各一つに応じた潜像が担持される潜像担持体と、この潜像担持体に一部が接触して配置されると共に、前記潜像担持体に形成されるトナー像が転写されながら周回される中間転写ベルトと、この中間転写ベルトを挟んで前記潜像担持体と反対側に前記中間転写ベルトと接触して配置されると共に、前記中間転写ベルトに前記トナー像の帯電極性と逆の極性の電圧を印加することにより前記潜像担持体との間に転写電界を発生させる転写部材とを備え、少なくとも前記潜像担持体と前記転写部材とを有する画像形成部が前記中間転写ベルトの周回方向に複数配置され、各潜像担持体に形成されるトナー像が、前記中間転写ベルトに順次重ねて転写されるタンデム方式の画像形成装置において、各画像形成部における前記潜像担持体と前記中間転写ベルトとの接触部が前記潜像担持体の中心と為す円弧角度を、前記中間転写ベルトの周回方向上流から下流に向かうにつれて漸次増大させたことを特徴とするものである。
また、各画像形成部における前記各転写部材が、各潜像担持体と前記中間転写ベルトとの前記接触部に近接した下流に配置されることが好ましい（請求項２）。
【０００８】
また、請求項３に記載の画像形成装置は、複数色の画像信号の各一つに応じた潜像が担持される潜像担持体と、この潜像担持体に一部が接触されると共に、前記潜像担持体に形成されるトナー像が転写される記録媒体と、この記録媒体が吸着載置して搬送される搬送ベルトと、この搬送ベルトを挟んで前記潜像担持体と反対側に前記搬送ベルトと接触して配置されると共に、前記記録媒体に前記トナー像の帯電極性と逆の極性の電圧を印加することにより前記潜像担持体との間に転写電界を発生させる転写部材とを備え、少なくとも前記潜像担持体と前記転写部材とを有する画像形成部が前記搬送ベルトの周回方向に複数配置され、各潜像担持体に形成されるトナー像が、前記記録媒体に順次重ねて転写されるタンデム方式の画像形成装置において、各画像形成部における前記潜像担持体と前記記録媒体との接触部が前記潜像担持体の中心と為す円弧角度を、前記搬送ベルトの周回方向上流から下流に向かうにつれて漸次増大させたことを特徴とするものである。
また、各画像形成部における前記各転写部材が、各潜像担持体と前記記録媒体との前記接触部に近接した下流に配置されることが好ましい（請求項４）。
【０００９】
請求項１または請求項３記載の画像形成装置によると、潜像担持体と中間転写ベルトとの接触部あるいは潜像担持体と記録媒体との接触部が潜像担持体の中心と為す円弧角度が漸次増大されることにより、潜像担持体と中間転写ベルトあるいは潜像担持体と記録媒体との間の電気抵抗が下流側に向かうにつれて漸次低下される。
従って、下流側の画像形成部において、上流側で転写されたトナー像に重畳してトナー像を転写する場合にも、転写部材に印加する電圧を増大させることなく、潜像担持体と中間転写ベルトあるいは潜像担持体と記録媒体との間に所定の強さの転写電界が発生される。
【００１０】
請求項２または請求項４記載の画像形成装置によると、各転写部材とニップ部に近接する上流領域（プレニップ部）との距離を大きくとることができ、プレニップ部への転写電界の影響が低減される。
【発明の効果】
【００１１】
請求項１または請求項３記載の画像形成装置によれば、下流位置であっても転写部材に印加する電圧を増大させることなく、潜像担持体と中間転写ベルトあるいは潜像担持体と記録媒体との間に所定の強さの転写電界を発生させることができるので、転写後の中間転写ベルトあるいは記録媒体上のトナー帯電量を低減して、転写電界の上昇や転写不良を防止することができる。
また、請求項２または請求項４に記載の画像形成装置によれば、プレニップ部への転写電界の影響が低減できるので、ブラーの発生を防止することができる。
【発明を実施するための最良の形態】
【００１２】
以下、図１乃至図５に基づいて、本発明の第１の実施形態について説明する。
図１は本実施形態の画像形成装置の概略構成を説明する図であり、この図１において、画像形成装置１は、図中Ｐ方向に略逆三角形状に周回され、後述する各画像形成部１１，２１，３１，４１において形成されたトナー像が転写される中間転写ベルト２と、この略逆三角形の上側の２つの頂点に配置され、中間転写ベルト２をその外周で保持する第１の張架ロール３及び第２の張架ロール４と、略逆三角形の下側の頂点に配置され、中間転写ベルト２をその外周で保持するバックアップロール５とを備えている。
また、中間転写ベルト２を挟んでバックアップロール５に対向するように二次転写ロール６が配置されており、記録媒体７が、これらバックアップロール５と二次転写ロール６とにより構成される二次転写部内を、図中Ｑの方向に搬送可能とされている。
【００１３】
また、画像形成装置１は、第１の張架ロール３と第２の張架ロール４との間に配置され、中間転写ベルト２の周回方向Ｐの上流から順に、感光体ドラム（潜像担持体）１２に担持される潜像をトナー像化する図示しないイエロー（Ｙ）の現像器を備える第１の画像形成部１１と、感光体ドラム（潜像担持体）２２に担持される潜像をトナー像化する図示しないマゼンタ（Ｍ）の現像器を備える第２の画像形成部２１と、感光体ドラム（潜像担持体）３２に担持される潜像をトナー像化する図示しないシアン（Ｃ）の現像器を備える第３の画像形成部３１と、感光体ドラム（潜像担持体）４２に担持される潜像をトナー像化する図示しないブラック（ＢＫ）の現像器を備える第４の画像形成部４１とを備えている。
【００１４】
各画像形成部１１，２１，３１，４１は、中間転写ベルト２に一部が接触され、上述した略逆三角形の外側に配置されると共に、図示しない帯電器により所定の極性に帯電され、図示しない画像手段からの画像情報に基づいて形成される潜像を担持する感光体ドラム（潜像担持体）１２，２２，３２，４２と、中間転写ベルト２を挟んでそれぞれの感光体ドラム１２，２２，３２，４２に対向され、中間転写ベルト２に一部が接触して配置されると共に、上述したトナー像の帯電極性と逆の極性の電圧を印加することにより、感光体ドラム１２，２２，３２，４２との間に転写電界を発生させる中間転写ロール（転写部材）１３，２３，３３，４３とを備えている。
【００１５】
また、各画像形成部１１，２１，３１，４１について、図２乃至図５に基づいて更に詳述すると、図２は、第１の画像形成部１１の詳細を示すものであり、感光体ドラム１２と中間転写ベルト２との間には、接触領域（第１のニップ部）Ｎ１が形成され、この第１のニップ部Ｎ１が感光体ドラム１２の中心Ａ１と為す円弧角度はθ１となるように調節される。
また、中間転写ロール１３の中心位置は、ニップ部Ｎ１の周回方向Ｐの上流側始端と感光体ドラム１２の中心Ａ１とが為す直線の延長上に配置されている。
【００１６】
図３は、第２の画像形成部２１の上流側から、第１の画像形成部１１において形成されると共に中間転写ベルト２に転写された第１のトナー像１４が搬送されている様子を示すものであり、感光体ドラム２２と中間転写ベルト２との間には、接触領域（第２のニップ部）Ｎ２が形成され、この第２のニップ部Ｎ２が感光体ドラム２２の中心Ａ２と為す円弧角度は、θ１よりも大きいθ２となるように調節される。
また、中間転写ロール２３の中心位置は、ニップ部Ｎ２の周回方向Ｐの上流側始端と感光体ドラム２２の中心Ａ２とが為す直線の延長上に配置されている。
【００１７】
図４は、第３の画像形成部３１の上流側から、第１の画像形成部１１及び第２の画像形成部２１において形成されると共に中間転写ベルト２に積層して転写された第１のトナー像１４及び第２のトナー像２４が搬送されている様子を示すものであり、感光体ドラム３２と中間転写ベルト２との間には、接触領域（第３のニップ部）Ｎ３が形成され、この第３のニップ部Ｎ３が感光体ドラム３２の中心Ａ３と為す円弧角度は、θ１及びθ２よりも更に大きいθ３となるように調節される。
また、中間転写ロール３３の中心位置は、ニップ部Ｎ３の周回方向Ｐの上流側始端と感光体ドラム３２の中心Ａ３とが為す直線の延長上に配置されている。
【００１８】
同様に、図５は、第４の画像形成部４１の上流側から、第１の画像形成部１１、第２の画像形成部２１及び第３の画像形成部３１において形成されると共に中間転写ベルト２に積層して転写された第１のトナー像１４、第２のトナー像２４及び第３のトナー像３４が搬送されている様子を示すものであり、感光体ドラム４２と中間転写ベルト２との間には、接触領域（第４のニップ部）Ｎ４が形成され、この第４のニップ部Ｎ４が感光体ドラム４２の中心Ａ４と為す円弧角度は、θ１乃至θ３よりも更に大きいθ４となるように調節される。
また、中間転写ロール４３の中心位置は、ニップ部Ｎ４の周回方向Ｐの上流側始端と感光体ドラム４２の中心Ａ４とが為す直線の延長上に配置されている。
【００１９】
なお、図２乃至図５においては、円弧角度θ１乃至θ４を上述のように調整しているが、中間転写ベルト２と各感光体ドラム１２，２２，３２，４２との間のニップ圧力は、ほぼ同一に保たれている。
【００２０】
以上のように構成された画像形成装置１の動作について説明する。
まず第１の画像形成部１１において、感光体ドラム１２の表面には、図示しない帯電器により所定の極性の電荷で一様に帯電され、図示しない画像手段からの画像情報に基づいてイエローの画像に応じた潜像が形成・担持されると共に、この潜像が、図示しないイエローの現像器によりトナー像化されて、第１のトナー像１４が形成される。
中間転写ベルト２は、感光体ドラム１２の周速と略同速で周回されており、感光体ドラム１２と中間転写ベルト２とが当接する第１のニップ部Ｎ１において、中間転写ロール１３に、第１のトナー像１４の帯電極性とは逆極性の電圧Ｖ１が印加される。
これにより感光体ドラム１２と中間転写ロール１３との間に転写電界Ｅ１を発生させ、感光体ドラム１２に担持されていた第１のトナー像１４を中間転写ベルト２に一次転写させる。
【００２１】
感光体ドラム２２の表面には、マゼンタの画像に応じた潜像が形成・担持されると共に、この潜像が、マゼンタの現像器によりトナー像化されて、第２のトナー像２４が形成される。
そして、感光体ドラム２２と中間転写ベルト２とが当接する第２のニップ部Ｎ２において、中間転写ロール２３に、第２のトナー像２４の帯電極性とは逆極性の電圧Ｖ２が印加されることにより、感光体ドラム２２と中間転写ロール２３との間に上述した転写電界Ｅ１とほぼ等しい転写電界Ｅ２が発生し、感光体ドラム２２に担持されていた第２のトナー像２４は、先に中間転写ベルト２に転写された第１のトナー像１４に積層されて一次転写される。
【００２２】
このとき、転写電界Ｅ２を発生させるために中間転写ロール２３に印加すべき電圧Ｖ２は、第２のトナー像２４が、電気抵抗を有する第１のトナー像１４の上に積層して転写されるので、図３に示す第２の画像形成部２１における円弧角度θ２が図２に示す第１の画像形成部１１における円弧角度θ１と同一である場合には、電圧Ｖ１よりも高くする必要がある。
しかし、本実施の形態においては、上述したように、第２のニップ部Ｎ２が感光体ドラム２２の中心Ａ２と為す円弧角度θ２は、第１のニップ部Ｎ１が感光体ドラム１２の中心Ａ１と為す円弧角度θ１よりも大きく設定されているので、第１のトナー像１４が転写されていない状態における感光体ドラム２２と中間転写ロール２３との間の電気抵抗は、感光体ドラム１２と中間転写ロール１３との間の電気抵抗よりも小さくされている。
従って、第１のトナー像１４の存在にも拘わらず、電圧Ｖ２を電圧Ｖ１とほぼ等しくしても転写電界Ｅ２を発生させることができる。
【００２３】
以下、同様にして第３の画像形成部３１においては、第３のトナー像（シアン）３４は、中間転写ベルト２に転写された第１のトナー像１４及び第２のトナー像２４に積層されて一次転写され、第４の画像形成部４１においては、第４のトナー像（ブラック）４４は、中間転写ベルト２に転写された第１のトナー像１４、第２のトナー像２４及び第３のトナー像３４に積層されて一次転写される。
このとき第３の画像形成部３１において中間転写ロール３３に印加される電圧Ｖ３は電圧Ｖ１とほぼ等しくされており、感光体ドラム３２と中間転写ロール３３との間には、転写電界Ｅ１とほぼ等しい転写電界Ｅ３が発生され、第４の画像形成部４１において中間転写ロール４３に印加される電圧Ｖ４は電圧Ｖ１とほぼ等しくされており、感光体ドラム４２と中間転写ロール４３との間には、転写電界Ｅ１とほぼ等しい転写電界Ｅ４が発生される。
【００２４】
なお、図２乃至図５においては、円弧角度θ１乃至θ４を上述のように調整しているが、中間転写ベルト２と各感光体ドラム１２，２２，３２，４２との間のニップ圧力は、ほぼ同一に保たれている。
【００２５】
以上のようにして中間転写ベルト２に未定着の複数色トナーが重畳したカラートナー像が形成された後、中間転写ベルト２が二次転写ロール６の位置に達すると、記録媒体７が、中間転写ベルト２と二次転写ロール６との間に給送される。
そして、記録媒体７が二次転写ロール６と中間転写ベルト２およびバックアップロール５により挟持して搬送される際に、中間転写ベルト２上のトナー像１４，２４，３４，４４が記録媒体７に一括して二次転写される。
これにより一連の画像形成サイクルが完了し、トナー像１４，２４，３４，４４が二次転写された記録媒体７は、その後、図示しない定着器で加熱／加圧処理された後、画像形成装置１の外部に排出される。
【００２６】
この第１の実施形態によれば、中間転写ロール１３，２３，３３，４３に印加する電圧Ｖ１，Ｖ２，Ｖ３，Ｖ４をほぼ等しくしながら、感光体ドラム１２，２２，３２，４２と中間転写ベルト２との間にほぼ等しい強さの転写電界Ｅ１，Ｅ２，Ｅ３，Ｅ４を発生させることができるので、転写後の中間転写ベルト２上のトナー帯電量を低減させることができ、転写電界の上昇や転写不良を防止することができる。
また、中間転写ベルト２と各感光体ドラム１２，２２，３２，４２との間のニップ圧力は、ほぼ同一に保たれているので、いわゆる中抜け現象を防止することができる。
【００２７】
図６は、本発明の第２の実施形態を示すものであり、第１の実施形態と共通する部分には同一の符号を配して説明を省略する。
第２の実施形態の画像形成装置５１においては、感光体ドラム１２，２２，３２，４２と中間転写ベルト２との間に、第１のニップ部Ｎ５、第２のニップ部Ｎ６、第３のニップ部Ｎ７、第４のニップ部Ｎ８がそれぞれ形成されている。
この第２の実施形態においては、各中間転写ロール１３，２３，３３，４３の中心位置は、各ニップ部Ｎ５，Ｎ６，Ｎ７，Ｎ８の周回方向Ｐの下流側終端よりも更に下流に配置されている点が、上述した第１の実施形態に対して特に相違している。
また、第１のニップ部Ｎ５と感光体ドラム１２の中心Ａ１と為す円弧角度θ５と、第２のニップ部Ｎ６と感光体ドラム２２の中心Ａ２と為す円弧角度θ６と、第３のニップ部Ｎ７と感光体ドラム３２の中心Ａ３と為す円弧角度θ７と、第４のニップ部Ｎ８と感光体ドラム４２の中心Ａ４と為す円弧角度θ８とは、θ５＜θ６＜θ７＜θ８なる関係とされている。
この第２の実施形態における一連の画像形成サイクルは第１の実施形態と同様である。
【００２８】
この第２の実施形態によれば、第１の実施形態と同様の効果を奏すると共に、各中間転写ロール１３，２３，３３，４３と各ニップ部Ｎ５，Ｎ６，Ｎ７，Ｎ８に近接する上流領域（プレニップ部）との距離を大きくとることができるので、プレニップ部への転写電界の影響が低減でき、ブラーの発生を防止することができる。
なお、この第２の実施形態においては、各中間転写ロール１３，２３，３３，４３の中心位置を、各ニップ部Ｎ５，Ｎ６，Ｎ７，Ｎ８の周回方向Ｐの下流側終端よりも更に下流としたが、各ニップ部Ｎ５，Ｎ６，Ｎ７，Ｎ８の上流側始端よりも下流であれば、プレニップ部への転写電界の影響が低減でき、ブラーの発生を防止に寄与することができることは言うまでもない。
【００２９】
なお、本発明は、上述の実施例に限らず、その要旨を逸脱しない範囲で種々の変形が可能である。
具体的には、上述した第１の実施形態及び第２の実施形態は、感光体ドラム１２，２２，３２，４２上に形成されたトナー像１４，２４，３４，４４を一旦中間転写ベルト２上に一次転写した後、これらトナー像１４，２４，３４，４４を改めて記録媒体７上へ二次転写する中間転写方式について説明したものであるが、本発明は中間転写方式のみならず、感光体ドラム１２，２２，３２，４２上に形成されたトナー像１４，２４，３４，４４を搬送ベルトで搬送される記録媒体上に直接転写する直接転写方式にも適用可能なものである。
【産業上の利用可能性】
【００３０】
転写不良やブラーの発生しない、高画質の転写画像を得ることのできるタンデム方式の画像形成装置を提供する。
【図面の簡単な説明】
【００３１】
【図１】本発明の第１の実施形態における画像形成装置の概略構成を示す図である。
【図２】本発明の第１の実施形態における第１の画像形成部１１の詳細を示す図である。
【図３】本発明の第１の実施形態における第２の画像形成部２１の詳細を示す図である。
【図４】本発明の第１の実施形態における第３の画像形成部３１の詳細を示す図である。
【図５】本発明の第１の実施形態における第４の画像形成部４１の詳細を示す図である。
【図６】本発明の第２の実施形態における画像形成装置の概略構成を示す図である。
【符号の説明】
【００３２】
１  画像形成装置  ２  中間転写ベルト  ７  記録媒体  １１，２１，３１，４１  画像形成部  １２，２２，３２，４２  感光体ドラム（潜像担持体）  １３，２３，３３，４３  中間転写ロール（転写部材）  １４，２４，３４，４４  トナー像  Ｎ１，Ｎ２，Ｎ３，Ｎ４，Ｎ５，Ｎ６，Ｎ７，Ｎ８  ニップ部  θ１，θ２，θ３，θ４，θ５，θ６，θ７，θ８  円弧角度
【図１】
2006162950.tif 000003
【図２】
2006162950.tif 000004
【図３】
2006162950.tif 000005
【図４】
2006162950.tif 000006
【図５】
2006162950.tif 000007
【図６】
2006162950.tif 000008